(57)【要約】【課題】装置本体の小型化、軽量化を図り、持ち運びが簡単で、長期間に亘って使用できる送風式の薬剤放散装置とする。【解決手段】装置本体１内の第１流通口２と第２流通口３を連通する空気流通路４に薬剤保持体５と送風機６を設け、この装置本体１の外周面１ａに、シート状の有機ラジカル電池８を巻きつけるように取付け、装置本体１を小型化、軽量化を図り、持ち運び簡単で、長期間に亘って使用できるようにする。【選択図】図１
2010075085.tif 000002
【特許請求の範囲】
【請求項１】
第１流通口２と第２流通口３を連通した空気流通路４を有した装置本体１と、
前記装置本体１の空気流通路４内に設けた薬剤保持体５、送風機６と、
前記装置本体１の外周面１ａに、巻きつけるように取付けたシート状の有機ラジカル電池８を備え、
前記送風機６を、前記有機ラジカル電池８を電源として駆動するようにしたことを特徴とする送風式の薬剤放散装置。
【請求項２】
前記装置本体１を筒体とし、その筒体の長手方向両端開口を第１流通口２、第２流通口３とすると共に、その筒体の内部を空気流通路４とし、
前記筒体の外周面１ａに環状凹部１ｂを形成し、この環状凹部１ｂにシート状の有機ラジカル電池８を巻きつけるように取付けた請求項１記載の送風式の薬剤放散装置。
【請求項３】
薬剤保持体５と送風機６を設けた筒体１６を、各筒体１６の第１流通口２が連通するように複数連結し、
前記連結部に補助筒体１７を、この補助筒体１７内と各筒体１６内とに亘って空気が流通するように接続し、
前記補助筒体１７の外周面１７ａに、シート状の有機ラジカル電池８を巻きつけるように取付け、この有機ラジカル電池８を電源として前記各送風機６を駆動するようにした請求項１記載の送風式の薬剤放散装置。
【請求項４】
上面と下面と円形の周面を有し、その周面に第１流通口２が形成され、上面又は下面に第２流通口３が形成された装置本体１とし、
この装置本体１内に送風機６を設けると共に、上面又は下面に薬剤保持体５を取付け、
前記送風機６を駆動することで第２流通口３から空気を吸い込んで、第１流通口２から吐出するように構成し、
前記周面に沿ってシート状の有機ラジカル電池８を設けたことを特徴とする送風式の薬剤放散装置。
【発明の詳細な説明】
【技術分野】
【０００１】
本発明は、快適な生活空間を得るために、芳香、消臭、除菌、殺虫、害虫忌避などの目的に供する薬剤を送風機を用いて放散する装置に関し、さらに詳しくは、これらの目的を達成するために長期間に亘って使用することができる送風式の薬剤放散装置に関するものである。
【背景技術】
【０００２】
従来から、装置本体内に形成した吸込口と吐出口とを連通する空気流通路にファンを具備し、その吸込口側に薬剤を保持した薬剤保持体を取付け、ファンを回転することで、薬剤を吐出口から大気に放散するようにした送風式の薬剤放散装置が種々提案されている。
例えば、特許文献１に開示した送風式の薬剤放散装置が提案されている。
【０００３】
【特許文献１】実開平６−７５１７９号公報
【発明の開示】
【発明が解決しようとする課題】
【０００４】
前述の送風式の薬剤放散装置は、快適な生活空間を得るために、各目的に応じて芳香剤、消臭剤、除菌剤、殺虫剤、あるいは害虫忌避剤などの薬剤を空間に放散させ、香りを楽しんだり、匂いを消したり、あるいは害虫防除するなどのいろいろな目的に使用される。
また、これらの生活空間としては、ダイニングキッチン室、寝室、子供室、浴室、トイレなどに被害空間を有する一般家庭内、又は販売店、食堂、旅館、病院、作業場、工場内、などにおける被害空間などが挙げられる。
前述した様々な生活空間及びその生活空間における様々な目的に対応するには、どこでも持ち運びが簡単にでき、また取り扱いが簡単である小型かつ軽量の装置が望ましい。また、長期間に亘って継続使用できる電源を確保できる装置が望ましい。
【０００５】
しかし、前述の送風式の薬剤放散装置にあっては、装置本体に揮散性の薬剤成分を収めた薬剤と、この薬剤から揮散した薬剤成分を放出口から外部に放散するための送風機と、さらに１番の重量物である送風機を動かす電源である電池をそれぞれ備えている。
この１番の重量物である電池について、その容量の大きさや使用本数によっては装置本体は大型化し、かつ重量が重くなる問題がある。
また、長期間使用できるようにするには、電池の容量を大きくしたり、本数を増やしたりするので、より装置が大型化や重量化する問題がある。
【０００６】
本発明の目的は、装置本体の小型化や軽量化を図り、持ち運びが簡単でどこでも使用できると共に、長期間に亘って使用することができる送風式の薬剤放散装置を提供することである。
【課題を解決するための手段】
【０００７】
本発明者等は、送風式薬剤放散装置の装置本体の軽量化、小型化を図るために鋭意研究した結果、近年開発された有機ラジカル電池は、厚みが薄く、曲げられることに注目し、本発明に到った。
【０００８】
第１の発明は、第１流通口２と第２流通口３を連通した空気流通路４を有した装置本体１と、
前記装置本体１の空気流通路４内に設けた薬剤保持体５、送風機６と、
前記装置本体１の外周面１ａに、巻きつけるように取付けたシート状の有機ラジカル電池８を備え、
前記送風機６を、前記有機ラジカル電池８を電源として駆動するようにしたことを特徴とする送風式の薬剤放散装置である。
【０００９】
第１の発明においては、前記装置本体１を筒体とし、その筒体の長手方向両端開口を第１流通口２、第２流通口３とすると共に、その筒体の内部を空気流通路４とし、
前記筒体の外周面１ａに環状凹部１ｂを形成し、この環状凹部１ｂにシート状の有機ラジカル電池８を巻きつけるように取付けることができる。
【００１０】
このようにすれば、装置本体１を小径の筒体として片手で持ち運びしたり、被服のポケットに入れて持ち運びすることが可能である。
また、第１流通口２側と第２流通口３側とに薬剤保持体５を設けることができる。
【００１１】
第１の発明においては、薬剤保持体５と送風機６を設けた筒体１６を、各筒体１６の第１流通口２が連通するように複数連結し、
前記連結部に補助筒体１７を、この補助筒体１７内と各筒体１６内とに亘って空気が流通するように接続し、
前記補助筒体１７の外周面１７ａに、シート状の有機ラジカル電池８を巻きつけるように取付け、この有機ラジカル電池８を電源として前記各送風機６を駆動するようにできる。
【００１２】
このようにすれば、複数の送風機６を駆動して複数の薬剤保持体５から薬剤をそれぞれ揮散し、各揮散した薬剤を独立して放散できるので、複数の目的を同時に達成できる。
【００１３】
第２の発明は、上面と下面と円形の周面を有し、その周面に第１流通口２が形成され、上面又は下面に第２流通口３が形成された装置本体１とし、
この装置本体１内に送風機６を設けると共に、上面又は下面に薬剤保持体５を取付け、
前記送風機６を駆動することで第２流通口３から空気を吸い込んで、第１流通口２から吐出するように構成し、
前記周面に沿ってシート状の有機ラジカル電池８を設けたことを特徴とする送風式の薬剤放散装置である。
【００１４】
第２の発明においては、周囲を形成する周面板２１の溝２４にシート状の有機ラジカル電池８を挿入して周面に設けたり、前記周面板２１の内周面２１ｂ、又は外周面２１ｃに沿ってシート状の有機ラジカル電池８を設けて周面に設けたり、あるいは周面板２１自体をシート状の有機ラジカル電池８として周面に設けることができる。
【発明の効果】
【００１５】
第１の発明、第２の発明によれば、シート状で、軽量な有機ラジカル電池８を用いていることにより、装置本体１を小型化、軽量化を図り、持ち運びが簡単で、どこでも使用できると共に、長期間に亘って使用できる。
【００１６】
第２の発明によれば、送風機６のファン６ｂをシロッコファンとすることができるので、効率良く空気を流通して薬剤を効率良く揮散し、その揮散した薬剤を効率良く放散できる。
【発明を実施するための最良の形態】
【００１７】
本発明の第１の実施の形態を説明する。
図１に示すように、装置本体１は、第１流通口２と第２流通口３及び、その第１流通口２と第２流通口３を連通する空気流通路４を有する。
前記空気流通路４には薬剤保持体５と送風機６が設けてある。
前記薬剤保持体５は、揮散性の薬剤を保持し、空気が流通することで薬剤を揮散する。
この実施の形態では、第１流通口２側と第２流通口３側とに薬剤保持体５がそれぞれ設けてある。
前記第１流通口２側に設けた薬剤保持体５は筒形状で、第２流通口３側に設けた薬剤保持体５はブロック形状で、内部を空気が流通する。
前記送風機６は、モータ６ａでファン６ｂを回転するもので、そのモータ６ａがプレート７に取付けてあり、そのプレート７は空気流通口７ａを有し、そのプレート７を装置本体１内に固着して取付けてある。
【００１８】
前記装置本体１の外周面１ａにシート状で、軽量な有機ラジカル電池８が巻きつけるように取付けてある。
例えば、装置本体１を筒体とし、その外周面１ａに環状凹部１ｂを形成し、その環状凹部１ｂを覆う筒状のカバー１ｃを着脱自在に設けて電池収容部１ｄとする。
前記環状凹部１ｂに沿ってシート状の有機ラジカル電池８が巻きつけるように取付けてある。
このようであるから、カバー１ｅを外すことで有機ラジカル電池１８を取付け、取り外しできる。
【００１９】
前記有機ラジカル電池８は、ラジカルと呼ばれるプラスチック材料に電気を蓄積する電池で、厚みが薄く（１ｍｍ以下）、曲げられるシート状である。
例えば、図２、図３に示すように、負極１０とラジカル正極１１をセパレータ１２を介在して重ね、その負極１０、ラジカル正極１１に外装用フィルム１３を重ね合わせ、負極リード１４と正極リード１５を外装用フィルム１３から張り出したもので、その負極リード１４と正極リード１５から電気を取り出しする。
【００２０】
前述のようであるから、有機ラジカル電池８はシート状で、軽量であるから、その有機ラジカル電池８が装置本体１の外周面から大きく張り出すことがなく、装置本体１を小型化できるし、軽量化でき、持ち運びが簡単で、どこでも使用できる。
しかも、有機ラジカル電池８は高出力、例えば通常の電池と比べて１０倍の高出力であるから、長期間に亘って使用できる。
【００２１】
この実施の形態では、装置本体１は筒体で、その外周面１ａの環状凹部１ｂに、シート状の有機ラジカル電池８を巻きつけるように取付けてあるので、装置本体１を小径の筒体とすることができ、人が片手で持って簡単に持ち運びできると共に、被服のポケットなどに入れて持ち運びができる。
【００２２】
また、前述のように、有機ラジカル電池８の取付け位置が装置本体１の外周面であることから、取付け面が広い。さらに、装置本体１の径を変えることで取付け面を変えることができる。このことから、シート幅の広い有機ラジカル電池８や狭い有機ラジカル電池、又はシート長の長い有機ラジカル電池や短い有機ラジカル電池、あるいはいろいろなシート幅といろいろなシート長を組み合わせた有機ラジカル電池を取付けて使用することができる。また、複数の有機ラジカル電池を取付けて使用することができる。このことから、使用する電池容量や取付け個数の選択肢が広い。
また、前述のように、有機ラジカル電池の取付け面が広いことから、装置本体１をより小径の筒体とすることができ、人が片手で持って簡単に持ち運びできると共に、被服のポケットなどに入れて持ち運びができる非常に小さい（細い）装置本体１とすることができる。
【００２３】
前述の有機ラジカル電池８は、一次電池として、又は二次電池として使用することができる。
例えば、一次電池として使用する場合、有機ラジカル電池８を装置本体１から取り出しできるから、新しい有機ラジカル電池８と交換することができる。
また、例えば二次電池として使用する場合、有機ラジカル電池８を装置本体１から取り出しできるから、装置本体１とは別にして、簡単に充電できるようにすることができる。
また、有機ラジカル電池８を装置本体１に埋設して設けて取り外しできないようにしても良い。この場合、二次電池として使用する。
【００２４】
次に、本発明の第２の実施の形態を説明する。
図４と図５に示すように、複数の筒体１６を、その第１流通口２が連通するように連結し、その連結部に補助筒体１７を、その補助筒体１７内と各筒体１６内に空気が流通するように接続して装置本体１とする。
例えば、中空形状の連結体１８に４つの筒体１６を十文字形状に接続し、その連結体１８に補助筒体１７を上向きに接続して装置本体１としてある。
【００２５】
前記各筒体１６内に薬剤保持体５と送風機６をそれぞれ設け、各送風機６を駆動することで各薬剤保持体５に空気が触れて薬剤を揮散し、その揮散した薬剤を各筒体１６の第２流通口３からそれぞれ独立して放散するようにしてある。
これによって、複数の薬剤を独立して放散できるので、複数の目的を達成できる。
【００２６】
前記補助筒体１７の外周面１７ａに環状凹部１７ｂを形成し、カバー１７ｃを着脱自在に取付けて電池収容部１７ｄとし、その内部に、シート状の有機ラジカル電池８を巻きつけるように取付けてある。
このようであるから、補助筒体１７に取付けた有機ラジカル電池８を電源として複数、例えば４つの送風機６を同時に駆動することができ、４つの送風機６を備えた薬剤放散装置でありながら、電池を小さくして装置本体１を小型にできる。
【００２７】
前記連結体１８は多面体形状で、その筒体１６、補助筒体１７を接続する面に、通気用の開口部１９が形成され、この開口部１９を通して筒体１６、補助筒体１７が連通するようにしてある。
このようであるから、複数の筒体１６と補助筒体１７を簡単に連結することができる。
【００２８】
なお、連結体１８を用いずに、複数の筒体１６と補助筒体１７を直接連結しても良い。
また、各筒体１６の第２流通口３から空気を吸い込んで、補助筒体１７から独立して吐出するようにしても良い。
【００２９】
前述の各実施の形態における有機ラジカル電池８を、装置本体１、補助筒体１７の外周面に巻きつけるように取付けるということは、外周面の全てに巻きつけて取付ける場合、外周面の一部分にのみ沿って取付ける場合を含むものである。
また、有機ラジカル電池８が長方形状のときには、長手方向を巻きつけるように取付けることが好ましいが、短手方向を巻きつけるように取付けても良い。
【００３０】
前述の実施の形態では装置本体１を筒体としたが、上面と下面と円形の周面で囲まれ、周面に第１流通口２、上面又は下面に第２流通口３を有した装置本体１とし、その上面又は下面に薬剤保持体５を取付けるようにしても良い。
このようにすれば、送風機６のファン６ｂをシロッコファンとすることができるので、効率良く空気を流通して薬剤を効率良く揮散して放散できる。
【００３１】
次に、本発明の第３の実施の形態を図６、図７に基づいて説明する。
装置本体１を、上面と下面と円形の周面で囲まれた形状とする。
例えば、下面板２０と周面板２１で上面が開口した箱形状の本体２２と、その開口部に着脱自在に取付けたカバー体２３で箱形状とし、その内部にモータ６ａとファン６ｂを有した送風機６を取付ける。下面板２０が下面、周面板２１が周面、カバー体２３が上面である。
前記周面板２１に第１流通口（吐出口）２を形成し、前記カバー体２３に第２流通口（吸込口）３を形成する。
前記カバー体２３の上面に薬剤保持体５を着脱自在に取付ける。
この薬剤保持体５は、通気性を有する薬剤容器５ａ内に薬剤を含浸した粒子５ｂを多数収容してある。
【００３２】
前記周面板２１には、上端面２１ａに開口した電池収容用の溝２４が形成され、この溝２４に、前述のシート状の有機ラジカル電池８を挿入して取付けてある。
これにより、カバー本体２３を取り外しすることで、有機ラジカル電池８を取り出したり、再び挿入して取付けできる。
【００３３】
前述のようであるから、ファン６ｂが回転することで第２流通口３から空気を吸い込み、第１流通口２から吐出しするので、ファン６ｂをシロッコファンとして空気を効率良く吸い込んで、吐出できる。
したがって、薬剤保持体６から薬剤を効率良く揮散し、大気に効率良く放散できる。
【００３４】
前述の実施の形態では周面板２１に形成した溝２４に有機ラジカル電池８を挿入して設けたが、図８に示すように周面板２１の内周面２１ｂに沿って有機ラジカル電池８を取付けても良いし、図９に示すように周面板２１の外周面２１ｃに沿って有機ラジカル電池８を取付けても良い。
要するに、周面板２１に沿ってシート状の有機ラジカル電池８を取付ければ良い。
【００３５】
このように周面板２１の内周面２１ｂ、外周面２１ｃに沿って有機ラジカル電池８を取付けすれば、周面板２１を薄くできるから、装置本体１をより軽量化できる。
【００３６】
前述した図６〜図１０に示す実施の形態においては、有機ラジカル電池８の周面板２１への取付け位置を、第１流通口２を介するその両側面に例示したが、片側面だけに有機ラジカル電池８を取付けできることは勿論である。
【００３７】
次に、本発明の第６の実施の形態を説明する。
図１０と図１１に示すように、装置本体１を、下面板３０に複数の支柱３１を介して上面板３２を取付けた本体部３３と、その各支柱３１に沿って取付けたシート状の有機ラジカル電池８で箱形状とする。
つまり、下面板３０が下面で、上面板３２が上面で、シート状の有機ラジカル電池８が周面を形成する。
【００３８】
前記有機ラジカル電池８を取付けない部分を設け、その部分を第１流通口（吐出口）２とする。
例えば、下面板３０を円板形状とし、その外周縁に沿って支柱３１を、周方向に間隔を置いて複数取付け、その周方向に隣接した支柱３１間に有機ラジカル電池８を取付けせずに第１流通口２とする。
前記上面板３２に第２流通口（吸込口）３を形成し、その上面板３２に薬剤保持体５を着脱自在に取付ける。
【００３９】
このようにすれば、前述の実施の形態と同様にファン６ｂをシロッコファンとすることができる。
また、装置本体１の周面を有機ラジカル電池８で形成したので、装置本体１をより軽量とすることができる。
【図面の簡単な説明】
【００４０】
【図１】本発明の第１の実施の形態を示す断面図である。
【図２】有機ラジカル電池の分解斜視図である。
【図３】有機ラジカル電池の斜視図である。
【図４】本発明の第２の実施の形態を示す平面図である。
【図５】図４のＡ−Ａ断面図である。
【図６】本発明の第３の実施の形態を示す縦断面図である。
【図７】図６のＢ−Ｂ断面図である。
【図８】本発明の第４の実施の形態を示す横断面図である。
【図９】本発明の第５の実施の形態を示す横断面図である。
【図１０】本発明の第６の実施の形態を示す縦断面図である。
【図１１】図１０のＣ−Ｃ断面図である。
【符号の説明】
【００４１】
１…装置本体、１ａ…外周面、２…第１流通口、３…第２流通口、４…空気流通路、５…薬剤保持体、６…送風機、８…有機ラジカル電池、２１…周面板、２１ａ…上端面、２１ｂ…内周面、２１ｃ…外周面、１６…筒体、１７…補助筒体。
【図１】
2010075085.tif 000003
【図２】
2010075085.tif 000004
【図３】
2010075085.tif 000005
【図４】
2010075085.tif 000006
【図５】
2010075085.tif 000007
【図６】
2010075085.tif 000008
【図７】
2010075085.tif 000009
【図８】
2010075085.tif 000010
【図９】
2010075085.tif 000011
【図１０】
2010075085.tif 000012
【図１１】
2010075085.tif 000013